(57)【特許請求の範囲】
【請求項１】
検索システムであって、
端末の現在の位置を示す現在地情報を取得する現在地情報取得手段と、
目的地に関する情報である目的地情報を音声情報として取得し、この取得した音声情報に前記取得した現在地情報をデータハイディングにより付加して音声透かし情報を生成する音声透かし生成手段と、
前記生成された音声透かし情報の音声情報から目的地情報を認識し、この認識した目的地情報と、前記生成された音声透かし情報の現在地情報とに基づいて、地図情報を検索する検索手段と
を有することを特徴とする検索システム。
【請求項２】
前記検索手段は、現在地情報と目的地情報とを用いて、前記現在地から前記目的地までのルートを検索することを特徴とする請求項１に記載の検索システム。
【請求項３】
前記検索手段は、目的地情報の属性を確認し、その属性に合致する、前記現在地の周辺の目的地に関する情報を検索することを特徴とする請求項１に記載の検索システム。
【請求項４】
端末であって、
自端末の現在の位置を示す現在地情報を取得する現在地情報取得手段と、
目的地に関する情報である目的地情報を音声情報として取得し、この取得した音声情報に前記取得した現在地情報をデータハイディングにより付加して音声透かし情報を生成する音声透かし生成手段と、
前記生成された音声透かし情報の音声情報から認識された目的地情報と、前記生成された音声透かし情報の現在地情報とに基づいて検索された地図情報を受信して表示させる表示手段と
を有することを特徴とする端末。
【請求項５】
検索装置であって、
目的地に関する情報である目的地情報を示す音声情報に、端末の現在の位置を示す現在地情報をデータハイディングにより付加して生成された音声透かし情報から目的地情報を認識する認識手段と、
前記認識した目的地情報と、前記生成された音声透かし情報の現在地情報とに基づいて、地図情報を検索する検索手段と
を有することを特徴とする検索装置。
【請求項６】
検索方法であって、
端末が、端末の現在の位置を示す現在地情報を取得する現在地情報取得ステップと、
端末が、目的地に関する情報である目的地情報を音声情報として取得する音声情報取得ステップと、
端末が、前記取得した音声情報に前記現在地情報をデータハイディングにより付加して音声透かし情報を生成する音声透かし生成ステップと、
検索装置が、前記生成された音声透かし情報の音声情報から目的地情報を認識する認識ステップと、
検索装置が、前記認識した目的地情報と、前記生成された音声透かし情報の現在地情報とに基づいて、地図情報を検索する検索ステップと
を有することを特徴とする検索方法。
【発明の詳細な説明】
【技術分野】
【０００１】
本発明は、検索システム、端末、検索装置、及び検索方法に関する。
【背景技術】
【０００２】
携帯電話等の移動端末で音声認識を使用して特定の情報を検索する技術として、特許文献１が挙げられる。
【０００３】
特許文献１には、インターネットに接続中に、音声回線によるコールバックを受け、検索ワードを音声により入力して、入力された音声に基づいて検索ワードを認識し、検索ワードを用いて情報を検索する技術が開示されている。
【先行技術文献】
【特許文献】
【０００４】
【特許文献１】特開２００２−３５９６８８号公報
【発明の概要】
【発明が解決しようとする課題】
【０００５】
特許文献１の技術では、音声回線とデータ回線とを用いているため、検索システム全体としての制御が複雑になってしまっていた。
【０００６】
そこで、本願発明が解決しようとする課題は、上記問題点を解決することであり、検索システムの制御を簡素化することにある。
【課題を解決するための手段】
【０００７】
本発明は、検索システムであって、端末の現在の位置を示す現在地情報を取得する現在地情報取得手段と、目的地に関する情報である目的地情報を音声情報として取得し、この取得した音声情報に前記取得した現在地情報をデータハイディングにより付加して音声透かし情報を生成する音声透かし生成手段と、前記生成された音声透かし情報の音声情報から目的地情報を認識し、この認識した目的地情報と、前記生成された音声透かし情報の現在地情報とに基づいて、地図情報を検索する検索手段とを有することを特徴とする。
【０００８】
本発明は、端末であって、自端末の現在の位置を示す現在地情報を取得する現在地情報取得手段と、目的地に関する情報である目的地情報を音声情報として取得し、この取得した音声情報に前記取得した現在地情報をデータハイディングにより付加して音声透かし情報を生成する音声透かし生成手段と、前記生成された音声透かし情報の音声情報から認識された目的地情報と、前記生成された音声透かし情報の現在地情報とに基づいて検索された地図情報を受信して表示させる表示手段とを有することを特徴とする。
【０００９】
本発明は、検索装置であって、目的地に関する情報である目的地情報を示す音声情報に、端末の現在の位置を示す現在地情報をデータハイディングにより付加して生成された音声透かし情報から目的地情報を認識する認識手段と、前記認識した目的地情報と、前記生成された音声透かし情報の現在地情報とに基づいて、地図情報を検索する検索手段とを有することを特徴とする。
【００１０】
本発明は、検索方法であって、端末が、端末の現在の位置を示す現在地情報を取得する現在地情報取得ステップと、端末が、目的地に関する情報である目的地情報を音声情報として取得する音声情報取得ステップと、端末が、前記取得した音声情報に前記現在地情報をデータハイディングにより付加して音声透かし情報を生成する音声透かし生成ステップと、検索装置が、前記生成された音声透かし情報の音声情報から目的地情報を認識する認識ステップと、検索装置が、前記認識した目的地情報と、前記生成された音声透かし情報の現在地情報とに基づいて、地図情報を検索する検索ステップとを有することを特徴とする。
【発明の効果】
【００１１】
本発明によると、音声回線を使用することなく、音声情報による検索が可能となる。
【図面の簡単な説明】
【００１２】
【図１】図1は第１の実施の形態のシステムの一例である。
【図２】図２は第１の実施の形態の端末の動作のフローである。
【図３】図３は第１の実施の形態の検索装置の動作のフローである。
【図４】図４は第２の実施の形態のシステムの一例である。
【図５】図５は第２の実施の形態の端末の動作のフローである。
【図６】図６は第２の実施の形態の検索装置の動作のフローである。
【図７】本願発明の特徴を説明するためのブロック図である。
【発明を実施するための形態】
【００１３】
本発明の検索システムの概要を説明する。図7は、本願発明の検索システムの特徴を示すためのブロック図である。検索システムは、現在地取得部１と音声透かし情報生成部２とを有する端末と、検索部３を有する検索装置とから構成されている。
【００１４】
本発明は、ユーザが音声にて、目的地に関する情報である目的地情報を入力する。この入力された目的地情報に、現在地取得部１が取得した端末の現在の位置を示す現在地情報を、音声透かし情報生成部２がデータハイディングにより付加して音声透かし情報にして、端末から検索装置に送信する。検索装置の検索部３は、送信されてきた音声透かし情報の音声情報を用いてから目的地情報を認識し、この認識した目的地情報と現在地情報とに基づいて、地図情報を検索する。
【００１５】
〈第１の実施の形態〉
本発明を実施するための第１の実施の形態について図面を参照して詳細に説明する。
第１の実施の形態では、ユーザに目的地を入力させ、地図情報としてルートを検索する実施の形態を説明する。
【００１６】
図１は、本実施の形態の検索システムの構成図である。
【００１７】
検索システムは、ユーザがルート検索に使用する端末１０と、端末１０から送信される音声情報に基づいてルートを検索する地図情報検索装置２０と、ＧＰＳ（Global Positioning Service）等の位置情報取得システム３０を有する。
【００１８】
端末１０は、ユーザが保持して移動できる端末であり、地図情報検索アプリケーション部１１と、位置情報取得部１２と、音声透かし生成部１３と、送受信部１４とを有する。
【００１９】
地図情報検索アプリケーション部１１は、ユーザがルート検索する際に起動させるアプリケーションが格納されている。地図情報検索アプリケーション部１１は、ユーザにより入力された音声を音声情報に変換して音声透かし生成部１３に渡す。また、地図情報検索アプリケーション部１１は、送受信部１４が受信した検索結果を表示部（図示せず）に表示させる。
【００２０】
位置情報取得部１２は、位置情報取得システム３０を用いて、自端末の現在位置を示す位置情報を取得する。
【００２１】
音声透かし生成部１３は、位置情報取得部１２が取得した位置情報を、音声透かしの技術である、データハイディングを用いて、音声情報に付加して音声透かし情報を生成する。
【００２２】
送受信部１４は、各種データを送受信する。
【００２３】
地図情報検索装置２０は、送受信部２１と、認識部２２と、検索部２３とを有する。
【００２４】
送受信部２１は、各種データを送受信する。
【００２５】
音声透かし取出部２２は、送受信部２１が受信した音声透かし情報から音声情報を取り出す。
【００２６】
音声認識エンジン２３は、音声透かし取出部２２が取り出した音声情報と、音声認識のための単語が辞書として登録されている認識辞書２４とを用いて、ユーザが発した検索ワードを認識する。
【００２７】
検索部２４は、認識部２２が認識した検索ワードを目的地の条件として地図情報を検索する。
【００２８】
続いて、本実施の形態の動作について説明する。図２は端末の動作フロー図であり、図３は地図情報検索装置２０の動作フロー図である。
【００２９】
最初に、端末の動作を図２を用いて説明する。
【００３０】
まず、地図検索アプリケーションを起動する（ステップ１０１）。
【００３１】
地図検索アプリケーションが起動されると、位置情報取得部１２は端末のＧＰＳ機能を用いて、位置情報取得システム３０から端末の現在の位置情報を取得する（ステップ１０２）。
【００３２】
位置情報を取得している一方で、ユーザは目的地を音声で入力する（ステップ１０３）。
【００３３】
地図検索アプリケーション部１１は音声入力された目的地を音声情報に変換する（ステップ１０４）。
【００３４】
音声透かし生成部１３は、音声透かし技術を利用して、ステップ１０２で取得した位置情報をステップ１０４で変換された音声情報に付加して音声透かし情報を生成する（ステップ１０５）。
【００３５】
送受信部１４は、生成された音声透かし情報を検索装置２０に送信する（ステップ１０６）。そして、検索システム２０からの検索結果を待つため待機する（ステップ１０７）。送受信部１４が検索システム２０から検索結果を受信する（ステップ１０８）。地図検索アプリケーション部１１は、送受信部１４が受信した検索結果を端末の表示部に表示させる（ステップ１０９）。
【００３６】
続いて、検索装置２０の動作を図３を用いて説明する。
【００３７】
端末１０からの音声透かし情報を送受信部２１が受信する（ステップ２０１）。
【００３８】
音声透かし取出部２２は、受信した音声透かし情報から位置情報と音声情報とを取り出す（ステップ２０２）。
【００３９】
音声認識エンジン２３は、音声情報を音声認識技術により、目的地を認識する（ステップ２０３）。
【００４０】
検索部２５は、認識した目的地の情報と、音声透かし取出部２２が取り出した位置情報とを用いて、ルート検索を行う（ステップ２０４）。
【００４１】
送受信部２１は、ルート検索の結果を端末１０に送信する（ステップ２０５）
尚、上記実施の形態では、音声認識の動作とルート検索の動作とを検索装置２０内において実行する構成を用いて説明したが、音声認識装置とルート検索装置とを用意して、それぞれの装置にて実行する構成であってもよい。また、ユーザによって入力された目的地を１か所に絞れない場合、認識装置２０は候補を端末１０に送信し、端末１０は候補を表示してユーザに音声又はプッシュボタンにより選択させる構成であってもよい。
【００４２】
次に、本実施の形態の効果について説明する。本実施の形態によると、音声回線とデータ回線との両方を用いることなく、音声による検索ができる。また、ユーザは出発地を指定することなく、目的地までのルートを検索することができる。
【００４３】
〈第２の実施の形態〉
次に、本発明の第２の実施の形態について図面を参照して詳細に説明する。第２の実施の形態では、地図情報として現在地周辺のランドマークを検索する実施の形態を説明する。尚、上記実施の形態と同様の構成については同一番号を付し、詳細な説明は省略する。
【００４４】
本実施の形態では、第１の実施の形態の構成に加えて、認識装置２０が発話意図分類エンジン２６及び分類辞書２７を有する。
【００４５】
発話意図分類エンジン２６は、音声認識エンジン２３が認識した目的地を、例えば飲食店、病院、駅などといったランドマークの種類（属性）に応じて分類する。この時、分類辞書２７を用いて分類する。分類する方法としては、どのような技術を用いてもよいが、以下に一例を示す。
【００４６】
分類辞書２７に、種類ごとに単語を予め登録しておく。そして、音声認識エンジン２３によって認識された目的地情報の中に分類辞書２７に登録されている単語が含まれているかを確認する。含まれている場合には、その単語の種類が目的地の種類として認識する。尚、含まれていない場合、端末に種類の情報を送信してユーザに提示し、ユーザが種類を選択することにより分類してもよい。
【００４７】
検索部２５は、分類エンジン２６が分類した種類の情報と、現在地の情報とに基づいて、その種類に合致する、現在地周辺のランドマークを検索する。
【００４８】
続いて、本実施の形態の動作について説明する。図５は端末の動作フロー図であり、図６は地図情報検索装置２０の動作フロー図である。
【００４９】
最初に、端末の動作を図５を用いて説明する。
【００５０】
まず、地図検索アプリケーションを起動する（ステップ３０１）。
【００５１】
地図検索アプリケーションが起動されると、位置情報取得部１２は端末のＧＰＳ機能を用いて、位置情報取得システム３０から端末の現在の位置情報を取得する（ステップ３０２）。
【００５２】
位置情報を取得している一方で、ユーザはランドマークとなる目的地を音声で入力する（ステップ３０３）。
【００５３】
地図検索アプリケーション部１１は音声入力された目的地を音声情報に変換する（ステップ３０４）。
【００５４】
音声透かし生成部１３は、音声透かし技術を利用して、ステップ３０２で取得した位置情報をステップ３０４で変換された音声情報に付加して音声透かし情報を生成する（ステップ３０５）。
【００５５】
送受信部１４は、生成された音声透かし情報を検索装置２０に送信する（ステップ３０６）。そして、検索システム２０からの検索結果を待つため待機する（ステップ３０７）。送受信部１４が検索システム２０から検索結果を受信する（ステップ３０８）。地図検索アプリケーション部１１は、送受信部１４が受信した検索結果を端末の表示部に表示させる（ステップ３０９）。
【００５６】
続いて、検索装置２０の動作を図６を用いて説明する。
【００５７】
端末１０からの音声透かし情報を送受信部２１が受信する（ステップ４０１）。
【００５８】
音声透かし取出部２２は、受信した音声透かし情報から位置情報と音声情報とを取り出す（ステップ４０２）。
【００５９】
音声認識エンジン２３は、音声情報を音声認識技術により、目的地を認識する（ステップ４０３）。
【００６０】
発話意図分類エンジン２６は、音声認識エンジン２３が認識した目的地を、ランドマークの種類（属性）に応じて分類する（ステップ４０４）。
【００６１】
検索部２５は、分類した種類の情報と、音声透かし取出部２２が取り出した位置情報とを用いて、分類した種類に応じた現在地周辺のランドマークの検索を行う（ステップ４０５）。
【００６２】
送受信部２１は、ルート検索の結果を端末１０に送信する（ステップ４０６）
次に、本実施の形態の効果について説明する。
【００６３】
本実施の形態によると、音声回線とデータ回線との両方を用いることなく、音声による検索ができる。また、ユーザは出発地を指定することなく、ユーザが所望する、現在地周辺のランドマークを検索することができる。
【００６４】
尚、上述した本発明の端末及び検索装置は、上記説明からも明らかなように、ハードウェアで構成することも可能であるが、コンピュータプログラムにより実現することも可能である。コンピュータプログラムにより実現する構成の場合、端末及び検索装置のそれぞれは、プロセッサ及びプログラムメモリを有する。そして、プログラムメモリに格納されているプログラムで動作するプロセッサによって、上述した実施の形態と同様の機能、動作を実現させる。また、上述した実施の形態の一部の機能のみをコンピュータプログラムにより実現することも可能である。
【００６５】
以上、実施の形態及び実施例をあげて本発明を説明したが、本発明は必ずしも上記実施の形態及び実施例に限定されるものではなく、その技術的思想の範囲内において様々に変形し実施することが出来る。
【符号の説明】
【００６６】
１０    端末
１１    地図検索アプリケーション部
１２    位置情報取得部
１３    音声透かし生成部
１４    送受信部
２０    認識装置
２１    送受信部
２２    音声透かし取出部
２３    音声認識エンジン
２４    認識辞書
２５    検索部
２６    分類エンジン
２７    分類辞書
３０    位置情報取得システム
【図１】
0005618371.tif 000002
【図２】
0005618371.tif 000003
【図３】
0005618371.tif 000004
【図４】
0005618371.tif 000005
【図５】
0005618371.tif 000006
【図６】
0005618371.tif 000007
【図７】
0005618371.tif 000008